(57)【要約】【課題】双方向信号中継器と光スイッチのポートの接続状態を発見し、トポロジの誤登録を防ぐ。又、主信号が流れていない状況においても、光スイッチと双方向信号中継器間のリンクの正常性を確認し、障害時の無駄な切り替えを防ぐ。【解決手段】双方向信号中継器１１０から信号を切替手段に向けて送出する。送出信号には識別子を付加する。光スイッチ１００の１つの双方向ポートペアに対してのみループバック構成にし、他のポートペアに対しては、ループバック構成としない。コントローラ１６０にて１１２の受信信号が１１１から送信した信号と同一か調べる。双方向信号中継器と光スイッチ間のリンクの正常性は、ループバック状態となるように切り替え、戻ってきた信号の品質を評価する。【選択図】  図１
2005012421.tif 000002
【特許請求の範囲】
【請求項１】
入力ポートと出力ポートとが組み合わされた双方向ポートペアを複数具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、前記切替装置および前記信号中継器の制御を行うコントローラとからなり、
前記信号中継器は、その出力ポートより識別子を付加した信号を前記切替手段へ送信する送信手段と、前記切替手段からの信号をその受信ポートにて受信して該信号中に含まれる識別子を検出する受信手段とを具備し、
前記コントローラは前記切替装置に具備された双方向ポートペアのいずれかをループバック状態としたうえで、前記送信手段から送信された信号に付加された識別子と前記受信手段にて受信された信号に含まれる識別番号が一致するかにより前記信号中継器の出力ポートおよび入力ポートと前記双方向ポートペアを構成する出力ポートおよび入力ポートの接続関係を検出することを特徴とする通信システム。
【請求項２】
請求項１記載の通信システムにおいて、
切替装置が光スイッチであり、信号は光信号であることを特徴とする請求項１に記載の通信装置。
【請求項３】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとし、識別子の一致が確認できない場合には前記第２のステップにおけるループバック状態とする双方向ポートペアを異なるものとして同様の動作を繰り返す第３のステップとを有することを特徴とする信号中継器と切替装置間の接続関係検出方法。
【請求項４】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとし、識別子の一致が確認できない場合には前記第１のステップにおいて識別子を信号に付加して前記切替装置に送信する信号中継器を異なるものとして同様の動作を繰り返す第３のステップとを有することを特徴とする信号中継器と切替装置間の接続関係検出方法。
【請求項５】
入力ポートと出力ポートとが組み合わされた双方向ポートペアを複数具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、前記切替装置および前記信号中継器の制御を行うコントローラとからなり、
前記信号中継器は、その出力ポートより信号品質を測定するための情報を付加した信号を前記切替手段へ送信する送信手段と、前記切替手段からループバックされた信号品質を測定するための情報が付加された信号により該受信信号の品質を測定する受信品質測定手段とを具備し、
前記コントローラは前記切替装置に具備された双方向ポートペアのいずれかをループバック状態としたうえで、前記送信手段および受信品質測定手段により受信した信号の品質の測定を行なわせることを特徴とする通信システム。
【請求項６】
請求項５に記載の通信システムにおいて、
コントローラは受信した信号の品質により信号中継器の出力ポートおよび入力ポートと双方向ポートペアを構成する出力ポートおよび入力ポートの接続関係の正常性の確認を行うことを特徴とする通信システム。
【請求項７】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合には前記第２のステップにおけるループバック状態とする双方向ポートペアを異なるものとして同様の動作を繰り返す第４のステップとを有することを特徴とする信号中継器と切替装置間の接続関係検出方法。
【請求項８】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合にはは前記第１のステップにおいて識別子を信号に付加して前記切替装置に送信する信号中継器を異なるものとして同様の動作を繰り返す第４のステップとを有することを特徴とする信号中継器と切替装置間の接続関係検出方法。
【発明の詳細な説明】
【０００１】
【発明の属する技術分野】
本発明は、信号中継器と切替装置間の接続関係の検出方法および通信システムに関するものである。
【０００２】
【従来の技術】
光信号の中で時分割多重されたタイムスロットを切り替える方式を用いたネットワークが構成されているが、通信トラヒックの増加とともに通信ネットワークの切替単位も増大し、光信号単位の切替機能が必要になってきている。それを実現するためには、光スイッチにより構成される光クロスコネクト・システム（ＯＸＣ：  Ｏｐｔｉｃａｌ  Ｃｒｏｓｓ−ｃｏｎｎｅｃｔ  Ｓｙｓｔｅｍ）が用いられている。
【０００３】
図１０は、光クロスコネクト・システムの従来例の構成を示すブロック図である。ここで、ある信号を入力し、何らかの加工を施した後に出力する機能をもつものを信号中継器と定義する。互いに反対方向に信号を伝送する信号中継器２つをひとくくりにして管理し、その信号中継器を双方向信号中継器と定義する。又、双方向信号中継器が光信号を中継する場合、双方向光信号中継器と呼ぶ。
【０００４】
図１０において、ポート１１３１、１１３２には、他ノードと接続する光ファイバがそれぞれ接続されている。１１１０、１１２０はひとくくりにして管理される双方向光信号中継器である。ポート１１０５、１１１３２および１１０７、１１３４は双方向光信号中継器１１１０および１１２０それぞれの出力ポート、１１０６、１１３１および１１０８、１１３３は双方向光信号中継器１１１０および１１２０それぞれの入力ポートである。ポート１１３１に入力された光信号をポート１１０５に出力し、ポート１１０６に入力された光信号をポート１１３２に出力し、ポート１１３３に入力した光信号をポート１１０７に出力し、ポート１１０８に入力した光信号をポート１１３４に出力する。以下、同一装置と接続される入力ポートと出力ポートのペアを、ひとくくりにして管理するペアを、双方向ポートペアと定義する。ポート１１０５とポート１１０６、ポート１１３１とポート１１３２はそれぞれ双方向ポートペアである。図１０において、それぞれ、双方向ポートペア（１１０５，１１０６）、双方向ポートペア（１１３２、１１３１）と記す。
【０００５】
双方向光信号中継器は、３Ｒ再生中継器（以下、リジェネレータと呼ぶ）と光ファイバとからなり、ポート１１３１とリジェネレータ１１１１、リジェネレータ１１１１とポート１１０５は、それぞれ、光ファイバで接続されている。ポート１１０６とリジェネレータ１１１２、リジェネレータ１１１２とポート１１３２も、それぞれ光ファイバで接続されている。光スイッチ１１００へ入力される直前にリジェネレータ１１１１を配置しているのは、伝送されてきた光信号をリジェネレータ１１１１で、デジタル伝送に適した波形の光信号に再生し直して光スイッチ１１００へ入力するためである。又、光スイッチ１１００の出力直後にリジェネレータ１１１２を配置しているのは、光スイッチ１１００を通った後の光信号をデジタル信号の伝送に適した波形の光信号に再生し直すためである。今、３Ｒ再生中継する信号や光スイッチ１１００で切り替える信号として、ＳＯＮＥＴ信号（Ｂｅｌｌｃｏｒｅ文書、  ＧＲ−２５３−ＣＯＲＥ，  Ｉｓｓｕｅ  ２，  「Ｓｙｎｃｈｒｏｎｏｕｓ  Ｏｐｔｉｃａｌ  Ｎｅｔｗｏｒｋ  （ＳＯＮＥＴ）  Ｔｒａｎｓｐｏｒｔ  Ｓｙｓｔｅｍｓ：  Ｃｏｍｍｏｎ  Ｇｅｎｅｒｉｃ  Ｃｒｉｔｅｒｉａ」１９９５年，  Ｂｅｌｌｃｏｒｅ発行を参照するとＳＯＮＥＴ信号のフォーマットが記載されている）を用いる。その場合、リジェネレータとして、先のＢｅｌｌｃｏｒｅ文書に記載されているリジェネレータを用いることができる。１１１５は、リジェネレータ１１１１、１１１２の制御・管理を行うコントローラ、１２５は、リジェネレータ１１２１，１１２２の制御・管理を行うコントローラである。１１１５，１１２５の制御・管理機能としては、オーバヘッドの値の読み書きを行う機能を持っている。
【０００６】
１１００は光スイッチである。１１０１、１１０３、１１４２は光スイッチ１００の入力ポート、１１０２，１１０４、１１４１は光スイッチ１１００の出力ポートを示す。光スイッチ１１００としては、例えば特許文献１（特開平５−２０７５２８号公報）に示される構成のものを用いることが可能である。
【０００７】
特許文献１の図１には入力ポートが図面左側に配置され、出力ポートが図面右側に配置された光スイッチが示されているが、光スイッチ１００においても、入力ポートと出力ポートをひとまとめとし、双方向ポートペアの光信号中継器が接続されるものを双方向ポートペアと定義すれば、双方向ポートペアの単位で管理を行うことが可能である。図１０において、ポート１１０１と１１０２、ポート１１０３と１１０４、ポート１１４１と１１４２は、それぞれ双方向ポートペアである。１１０９は、光スイッチ１１００のコントローラであり、光スイッチ１１００の切替制御を行う。リジェネレータ１１１１、１１１２，１１２１，１１２２は、それぞれ、光スイッチ１１００のポート１１０５、１１０６、１１０７、１１０８に接続されている。
【０００８】
また、双方向光中継器には、伝送路となる光ファイバを接続する以外にも、同じノード内の他の装置接続としている。１８００は、ルータを表し、リジェネレータ１１７１，１１７２、コントローラ１１７５およびポート１１７３，１１７４，１１８１，１１８２を備える双方向光中継器１１７０にポート１１７３，１１７４を介して接続されている。双方向光中継器１１７０はこの他に、光スイッチ１１００のポート１１８３，１１８４とポート１１８１，１１８２を介して接続されている。
【０００９】
【特許文献１】
特開平５−２０７５２８号公報
【００１０】
【発明が解決しようとする課題】
ネットワークを構成して管理するには、ネットワーク管理システムにどの双方向信号中継器とどの光スイッチのポートが接続されているかを登録して、ネットワーク・トポロジをネットワーク管理システムが保持しておく必要がある。
【００１１】
しかしながら、従来は、どの双方向信号中継器と、どの光スイッチの双方向ポートペアが接続されているかを確認することは、手作業により行なわれており、具体的には接続されているケーブルを追って、その接続を目視により確認していた。例えば図１０の構成にて、双方向信号中継器のポート１１０５は光スイッチ１１００のどのポートに接続されているか、自動で確認することができず、人が接続されているケーブルを追って、どのポートとどのポートが接続されているか確認する必要があった。
【００１２】
人の目視により、接続を確認してネットワーク管理システムに接続性、ネットワーク・トポロジを登録することになり、人為ミスがあると、誤登録が発生してしまい、ネットワーク障害が発生してしまう。
【００１３】
特に装置の設置直後や入れ替え直後、障害により再立ち上げを行う際には、接続関係の再登録をネットワーク管理システムに対して行う必要があるので、上記のような人為ミスによるネットワーク・トポロジの誤登録が起こってしまう可能性を持っている。
【００１４】
また、光スイッチは光信号のまま通過してしまう。その上、双方向信号中継器のうち、予備用光ファイバが接続される双方向光信号中継器を１１２０とすると、障害が発生しない時には、予備用として確保しているのでポート１１３３から光信号が入力されず、ポート１１０７とポート１１０３の間のリンクには、何も信号が流れない状態となってしまう。したがって、双方向光信号中継器１１２０と光スイッチ１１００間のリンクの障害の有無を管理することができない。よって、その光リンクに障害が発生していないことを確認することなく、主信号を切り替えなければならない。双方向信号中継器１１２０と光スイッチ１１００間のリンクに障害が発生しるにもかかわらず、それを用いる切り替えを行った場合、障害回復しても回復できない余分な切り替えを行うことになり、障害回復時間が長くなってしまう。
【００１５】
本発明は、上述したような従来の技術が有する問題点に鑑みてなされたものであって、双方向信号中継器と光スイッチのポートの接続状態を発見し、トポロジの誤登録を防ぐことができ、また、主信号が流れていない状況においても、光スイッチと双方向信号中継器間のリンクの正常性を確認し、障害時の無駄な切り替えを防ぐことのできる信号中継器と切替装置間の接続関係検出方法および通信システムを実現することを目的とする。
【００１６】
【課題を解決するための手段】
本発明の通信システムは、入力ポートと出力ポートとが組み合わされた双方向ポートペアを複数具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、前記切替装置および前記信号中継器の制御を行うコントローラとからなり、
前記信号中継器は、その出力ポートより識別子を付加した信号を前記切替手段へ送信する送信手段と、前記切替手段からの信号をその受信ポートにて受信して該信号中に含まれる識別子を検出する受信手段とを具備し、
前記コントローラは前記切替装置に具備された双方向ポートペアのいずれかをループバック状態としたうえで、前記送信手段から送信された信号に付加された識別子と前記受信手段にて受信された信号に含まれる識別番号が一致するかにより前記信号中継器の出力ポートおよび入力ポートと前記双方向ポートペアを構成する出力ポートおよび入力ポートの接続関係を検出することを特徴とする。
【００１７】
この場合、切替装置が光スイッチであり、信号は光信号であるとしてもよい。
【００１８】
本発明の信号中継器と切替装置間の接続関係検出方法は、入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとし、識別子の一致が確認できない場合には前記第２のステップにおけるループバック状態とする双方向ポートペアを異なるものとして同様の動作を繰り返す第３のステップとを有することを特徴とする。
【００１９】
本発明の他の形態による信号中継器と切替装置間の接続関係検出方法は、入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとし、識別子の一致が確認できない場合には前記第１のステップにおいて識別子を信号に付加して前記切替装置に送信する信号中継器を異なるものとして同様の動作を繰り返す第３のステップとを有することを特徴とする。
【００２０】
本発明の他の形態による通信システムは、入力ポートと出力ポートとが組み合わされた双方向ポートペアを複数具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、前記切替装置および前記信号中継器の制御を行うコントローラとからなり、
前記信号中継器は、その出力ポートより信号品質を測定するための情報を付加した信号を前記切替手段へ送信する送信手段と、前記切替手段からループバックされた信号品質を測定するための情報が付加された信号により該受信信号の品質を測定する受信品質測定手段とを具備し、
前記コントローラは前記切替装置に具備された双方向ポートペアのいずれかをループバック状態としたうえで、前記送信手段および受信品質測定手段により受信した信号の品質の測定を行なわせることを特徴とする。
【００２１】
この場合、コントローラは受信した信号の品質により信号中継器の出力ポートおよび入力ポートと双方向ポートペアを構成する出力ポートおよび入力ポートの接続関係の正常性の確認を行うこととしてもよい。
【００２２】
本発明の他の形態による信号中継器と切替装置間の接続関係検出方法は、入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合には前記第２のステップにおけるループバック状態とする双方向ポートペアを異なるものとして同様の動作を繰り返す第４のステップとを有することを特徴とする。
【００２３】
本発明の他の形態による信号中継器と切替装置間の接続関係検出方法は、入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合にはは前記第１のステップにおいて識別子を信号に付加して前記切替装置に送信する信号中継器を異なるものとして同様の動作を繰り返す第４のステップとを有することを特徴とする。
【００２４】
以下、本発明の作用について説明する。スイッチを切り替え、スイッチの双方向ポートペアの入力ポートに信号が入力されたら、双方向ポートペアの対となる出力ポートに信号が戻ってきて出力されるスイッチの切替状態を「ループバック状態」と定義する。
【００２５】
接続関係を知りたい双方向信号中継器内のリジェネレータ（送信手段）から信号を切替装置に向けて送出する。送出信号には識別子を付加する。１つの双方向ポートペアに対してのみループバック状態にし、他の双方向ポートペアに対しては、ループバック状態としない。切替装置の１つの双方向ポートペアのみ光スイッチ内部でループバック状態にすると、スイッチに信号を送出し、また、同時に受信している双方向の信号中継器では、ループバック状態となっている切替装置の双方向ポートペアに接続されている時のみ、自分の送出した信号と同一の信号を受信する。従って、ある双方向信号中継器に着目してそれに接続されている双方向ポートペアを探す場合、順番にループバックするスイッチのポートを変えていき、その都度、双方向信号中継器で、送信した信号と同一の信号を受信しているかチェックすることにより、双方向信号中継器と光スイッチのどのポートが接続されているかを知ることができる。同一の信号を受信していれば、その時にループバック状態となっているスイッチの双方向ポートペアと接続されていることになる。尚、双方向信号中継器側で送信した信号と同一の信号が受信しているかどうか調べるためには、信号に識別子を付加し、それと同一の識別子を受信するかどうか調べればよい。
【００２６】
上記の例では、双方向信号中継器側から送信するポート、受信するポートを固定し、ループバックする双方向ポートペアを順次変更し、ループバックした場合に自分に戻ってくる、スイッチの双方向ポートペアを探した。それとは逆に、スイッチ側でループバック構成を取るポートを固定し、双方向信号中継器側で、識別子を付加して送信し、受信した信号が同一であるかを探す方法によっても、双方向信号中継器とスイッチの双方向ポートペアの接続関係がわかる。
【００２７】
又、一旦、接続関係が判明した後には、双方向信号中継器とスイッチ間を接続するリンクの正常性を確認する必要がある。それに対しては、双方向信号中継器と接続されている双方向ポートペアに対し、ループバック状態となるように切り替え、戻ってきた信号の品質を双方向信号中継器にて評価することによって、双方向信号中継器とスイッチ間のリンクの正常性を確認できる。
【００２８】
【発明の実施の形態】
次に、本発明の実施の形態について図面を参照して説明する。
【００２９】
まず、図１〜図４を用いて第１の実施の形態について説明する。
【００３０】
図１におけるポート１０１〜１０８、１３１〜１３４、１４１，１４２、リジェネレータ１１１，１１２，１２１，１２２、コントローラ１１５，１２５、双方向光信号中継器１１０，１２０、光スイッチ１００およびコントローラ１０９のそれぞれは、図１０に示したポート１１０１〜１１０８、１１３１〜１１３４、１１４１，１１４２、リジェネレータ１１１１，１１１２，１１２１，１１２２、コントローラ１１１５，１１２５、双方向光信号中継器１１１０，１１２０、光スイッチ１１００およびコントローラ１１０９と同様に動作を行なうものである。本実施例においては、上記以外に、双方向光信号中継器１１０，１２０それぞれのコントローラ１１５，１２５と接続し、また、コントローラ１０９と接続するコントローラ１６０が設けられている。
【００３１】
まず、本実施の形態において双方向光信号中継器１１０、１２０と光スイッチ１００の各ポートとの接続関係を検査する際の基本的な動作について説明する。
【００３２】
双方向光信号中継器１１０と光スイッチ１００のポートとの接続関係を検査する場合、リジェネレータ１１１にて識別子を付加した光信号を光スイッチ１００へ送出する。光スイッチ１００の切替状態として、図２や図３に示すように、双方向ポートペアのどれか１つに対し、ループバック状態（光スイッチ１００の入力ポートに入力された光信号を、入力ポートとペアを成している出力ポートへ出力させる状態）にし、それ以外の双方向ポートペアは光スイッチ内部でループバック状態にならないように切り替える。図２に示される例では双方向光信号中継器１２０のポート１０７、１０８による双方向ポートペアがループバック状態とされ、図３に示される例では双方向光信号中継器１１０のポート１０５、１０６による双方向ポートペアがループバック状態とされている。
【００３３】
光スイッチ１００の１つの双方向ポートペアをループバック状態とすると、この双方向ポートペアを備える双方向光信号中継器は、自分の送出した信号と同一の信号を受信する。従って、ある双方向光信号中継器に着目したときに、順番にループバックする光スイッチの双方向ポートペアを変えていき、その都度、双方向光信号中継器側で送信した信号と同一の信号が受信できるかチェックすることにより、双方向光信号中継器と光スイッチ１００のどの双方向ポートペアが接続されているかを知ることができる。
【００３４】
双方向光信号中継器から光スイッチ１００へ送出した信号と同一の信号を受信しているかどうか調べるためには、信号に識別子を付加し、それと同一の識別子を含む信号を受信するかどうかを調べればよい。識別子として、ＳＯＮＥＴのオーバヘッドであるＪ０バイトを使用することができる。隣接して接続される３Ｒ再生中継器間の識別子として、ＳＯＮＥＴでは、Ｊ０バイトを用いることが規定されている。
【００３５】
リジェネレータ１１１、１１２、１２１、１２２はＳＯＮＥＴに対応するものでＪ０バイトに識別子を書き込むこととし、コントローラ１１５ではＪ０バイトから識別子を読み込む機能を持つ。この機能は、Ｂｅｌｌｃｏｒｅの参考文献（Ｂｅｌｌｃｏｒｅ文書、  ＧＲ−２５３−ＣＯＲＥ，  Ｉｓｓｕｅ  ２，  「Ｓｙｎｃｈｒｏｎｏｕｓ  Ｏｐｔｉｃａｌ  Ｎｅｔｗｏｒｋ  （ＳＯＮＥＴ）  Ｔｒａｎｓｐｏｒｔ  Ｓｙｓｔｅｍｓ：  Ｃｏｍｍｏｎ  Ｇｅｎｅｒｉｃ  Ｃｒｉｔｅｒｉａ」１９９５年，  Ｂｅｌｌｃｏｒｅ発行）に記載の通り、ＳＯＮＥＴ信号を受信した時に信号のクロックを抽出し、フレーム同期を行い、オーバヘッドのＪ０バイトに入れる情報を更新したり、オーバヘッドバイトのＪ０バイトの値を認識することにより実現することができる。
【００３６】
コントローラ１１５、１２５はそれぞれ双方向光信号中継器１１０、１２０を制御するものであり、書き込む識別子の値をリジェネレータ１１１、１２１に渡し、リジェネレータ１１２，１２２から読み込んだ識別子の値を受け取る。コントローラ１１５、１２５と接続するコントローラ１６０は、リジェネレータ１１１により書き込んだ識別子とリジェネレータ１１２から受け取った識別子が一致するか、リジェネレータ１２１により書き込んだ識別子とリジェネレータ１２２から受け取った識別子が一致するか、判定する機能を持つ。
【００３７】
また、コントローラ１６０は、双方向光信号中継器のリジェネレータを通過する信号への識別子の書き込み、読み込み、光スイッチ１００の所定の双方向ポートペアをループバック状態にする制御の順序の管理も行う。識別子を書き込んだり、ループバック状態にする制御が確実に終了したことを確認してから、送信識別子と受信識別子の一致、不一致を確認する必要があるからである。順序の管理は、この制御動作の順番を間違いなく行うために必要な機能である。コントローラ１６０、リジェネレータのコントローラ１１５、１２５、光スイッチ１００を制御するコントローラ１０９は、ＬＡＮケーブルにより接続されてＬＡＮが構成されており、これらの各コントローラ間で情報の交換を行うことが可能とされている。なお、コントローラ１６０は、コントローラ１１５、１２５、１０９のいずれかに内蔵させても良い。
【００３８】
図２に示した状態では、コントローラ１６０からコントローラ１０９へ光スイッチ１００のポート１０３、１０４による双方向ポートペアでループバック状態が構成される切替要求が送られている。双方向光信号中継器１１０のリジェネレータ１１２で得られる信号は、リジェネレータ１１１で生成した信号ではなく、ポート１４２から入力された光信号である。それは、ポート１４２に入力された光信号の持つ識別子が、リジェネレータ１１１で付加された識別子と一致しないことから確認できる。具体的には、コントローラ１１５で保持していたリジェネレータ１１１による送信識別子と、コントローラ１１５がリジェネレータ１１２から受け取った信号に含まれる識別子をコントローラ１６０に送り、コントローラ１６０にて、それらの識別子を比較することにより、判定することができる。
【００３９】
一方、図３に示した状態では、コントローラ１６０からコントローラ１０９へ光スイッチ１００のポート１０１、１０２による双方向ポートペアでループバック状態が構成される切替要求が送られている。ポート１０１、１０２による双方向ポートペアがループバック状態とされることで、同一の信号が双方向光信号中継器１１０に戻ってくる。よって、双方向光信号中継器側のリジェネレータ１１２で受信する信号は、リジェネレータ１１１から送出する光信号ある。したがって、リジェネレータ１１１にて送出信号に付加した識別子とリジェネレータ１１２で受信した光信号から得られた識別子が一致する。具体的には、コントローラ１１５で保持していたリジェネレータ１１１による送信識別子と、コントローラ１１５がリジェネレータ１１２から受け取った信号に含まれる識別子をコントローラ１６０に送り、コントローラ１６０にて、それらの識別子を比較することにより、判定できる。
【００４０】
識別子の一致が確認できた後は、その時の双方向光信号中継器１１０側の双方向ポートペアを構成するポート１０５，１０６の番号、光スイッチ１００側で双方向ポートペアを構成するポート１０１，１０２の番号をコントローラ１６０に送り、双方向光信号中継器１１０側の双方向ポートペアを構成するポート１０５および１０６と光スイッチ１００側で双方向ポートペアを構成するポート１０１および１０２がそれぞれ接続されていることをコントローラ１６０に認識させる。
【００４１】
コントローラ１６０は、双方向ポートペアを構成する各ポートのうち、ポート１０２、１０５は出力ポート、ポート１０１、１０６は入力ポートであることをコントローラ１１５、１２５からの通知により認識するもので、これにより、ポート１０５とポート１０１が接続されて、ポート１０２とポート１０５が接続されていることがわかる。
【００４２】
上記のようにして、双方向光信号中継器１１０のポートと光スイッチ１００のポート間の接続関係を発見することが可能である。
【００４３】
以上、図１ないし図３を用いて本実施の形態における双方向光信号中継器と光スイッチの各ポートとの接続関係を検査する際の基本的な動作について説明した。
【００４４】
図４は上記の検査を３以上の双方向光信号中継器が接続候補となっている場合の動作を示すフローチャートであり、以下に図３とともに図４を参照してその動作について説明する。
【００４５】
まず、光スイッチのどのポートと接続されているかを調査する双方向光信号中継器を決定し、決定した双方向光信号中継器をｍとする（ステップ３０２）。いま、接続状態を調査する双方向光信号中継器ｍを図１における双方向光信号中継器１１０と決定したとして説明する。
【００４６】
コントローラ１６０は、コントローラ１１５を介して双方向光信号中継器１１０中のリジェネレータ１１１にてＪ０バイトに識別子の値を設定する（ステップ３０３）。次に、この双方向光信号中継器と接続されている可能性を持つ光スイッチ１００の双方向ポートペアの番号をｉという変数で表す。ｉは自然数で、候補となる光スイッチポートの数がＩである場合、ｉとしては、１〜Ｉのいずれかを光スイッチのポートに対応させる。ｉの値を変化させてることにより、双方向光信号中継器ｍとの接続を確認することにより、双方向光信号中継器ｍと接続されている可能性を持つ全ての光スイッチポートとの接続性を確認する。
【００４７】
コントローラ１６０は、まず、最初にｉ＝１とする（ステップ３０４）。ここでは、ｉ＝１に対応する光スイッチ１００の双方向ポートペアをポート１０３、１０４によるものとする。次に、ｉ＝１に対応する光スイッチ１００のポート１０３、１０４による双方向ポートペアをループバック状態にする（ステップ３０５）。次に、リジェネレータ１１２およびコントローラ１１５を介して、双方向光信号中継器ｍである双方向光信号中継器１１０の受信ポート１０６に入力された光信号を検出し、光信号中の識別子を得る（ステップ３０６）。コントローラ１６０では、送信した識別子と受信した識別子が同一かどうかチェックする（ステップ３０７）。
【００４８】
ステップ３０７にて識別子が一致したことが確認された場合には、双方向光信号中継器ｍと現在のｉに対応する光スイッチ１００の双方向ポートペアが接続されているものとして動作を終了する（ステップ３０９）。
【００４９】
今例として挙げている様に、ｉ＝１に対応する光スイッチ１００のポート１０３、１０４による双方向ポートペアがループバックされた状態では、図２に示すように双方向光信号中継器１１０中のリジェネレータ１１１にて付加した識別子を持つ光信号が、双方向光信号中継器１１０に戻ってくることはなく、双方向光信号中継器ｍの識別子と受信識別子が一致しない。したがって、ステップ３０７にて識別子が一致したことが確認されることはなく、双方向光信号中継器１１０はｉ＝１の光スイッチ１００のポート１０３、１０４による双方向ポートペアと接続されていないことが分かり、他の接続可能性のある光スイッチ１００のポートを調べる必要があることが分かる。
【００５０】
そこで、ステップ３０７にて識別子が一致しないことが確認された場合には、他の光スイッチ１００の双方向ポートペアを構成するポートを調べることとし、ｉの値をインクリメントし（ステップ３０８）、ｉ＝Ｉ＋１でないことを確認した後に（ステップ３１０）ステップ３０５に戻る。これにより、ｉ＝２の光スイッチの双方向ポートペアについて、双方向光信号中継器１１０と接続されているかの調査を開始する。
【００５１】
上記のステップ３１０にてｉ＝Ｉ＋１であることが確認された場合にはエラー処理を行なって（ステップ３１１）終了する。
【００５２】
上記のステップ３０５〜３１０によるルーチンを繰り返す内に、ある光スイッチの双方向ポートペアｉにてループバックすると、送信した信号と同一の信号が、双方向光信号中継器１１０に戻る場合がある（ステップ３０７にてＹｅｓの場合）。その場合の状態は、図３に示すようになっている。図３においては、光スイッチの双方向ポートペアの番号ｉは、ポート１０１、１０２による双方向ポートペアを示すものであり、そのポートがループバック状態になっている。双方向光信号中継器のポートと光スイッチのポートが接続されている場合、光スイッチがループバック状態になった時のみ、双方向光信号中継器から光スイッチへ送出した信号と同一の受信するので、この時、双方向光信号中継器ｍと光スイッチの双方向ポートペアｉが接続されていることがわかる。
【００５３】
また、全てのｉの双方向光信号中継器を調べても解が無い場合は（ステップ３１０でＹｅｓの場合）、エラーとなるので（ステップ３１１）、他の障害の可能性を調査する。
【００５４】
次に、本発明の第２の実施の形態についてその動作を示す図５のフローチャートを参照して説明する。
【００５５】
図４に示したフローチャートでは、調査対象の双方向光信号中継器を固定とし、接続候補である光スイッチ１００の双方向ポートペアを掃引して接続関係にあるものを調査したが、本実施形態においては、光スイッチ１００の双方向ポートペアを固定とし、接続候補となる双方向光信号中継器を掃引することによって接続関係にあるものの調査が行なわれる。
【００５６】
動作が開始されると（ステップ５０１）、コントローラ１０６は、まず、どの双方向光信号中継器と接続されているかを調査する対象となる光スイッチの双方向ポートペアｉを指定する（ステップ５０２）。いま、その双方向ポートペアｉを図１におけるポート１０１，１０２による双方向ポートペアとして説明する。
【００５７】
コントローラ１６０は、コントローラ１０９を介して光スイッチ１００の双方向ポートペアｉをループバック状態に設定する（ステップ５０３）。その状態は、例えば、図３に示される。そして、この双方向光信号中継器と接続されている可能性を持つ双方向光信号中継器の番号をｍという変数で表す。ｍは自然数で、候補の数がＭである場合、双方向光信号中継器を１〜Ｍのいずれかに対応させる。ｍの値を変化させることにより、光スイッチ１００の双方向ポートペアｉと接続されている可能性のある双方向光信号中継器の全ての候補との接続性を確認できる。まず、最初にｍ＝１とする（ステップ５０４）。
【００５８】
ここでは、ｍ＝１を双方向光信号中継器１２０に対応させる。双方向光信号中継器１２０中のリジェネレータ１２１にてＪ０バイトに識別子となる値を設定する（ステップ５０５）。次に、コントローラ１６０は、リジェネレータ１２２およびコントローラ１２５を介して双方向光信号中継器ｍ（双方向光信号中継器１２０）の受信ポート１０８に入力された光信号から識別子を検出し（ステップ５０６）、コントローラ１６０では、送信した識別子と受信した識別子が同一かどうかチェックする（ステップ５０７）。
【００５９】
ステップ５０７にて送信した識別子と受信した識別子が同一であることが確認された場合には、光スイッチ１００の双方向ポートペアｉと現在のｍに対応する双方向光信号中継器ｍが接続されているものとして動作を終了する（ステップ５０９）。
【００６０】
図３に示されるようなポート１０１、１０２による双方向ポートペアがループバックされた状態では、双方向光信号中継器１２０中のリジェネレータ１２１にて付加した識別子を持つ光信号が、双方向光信号中継器１２０に戻ることはない。図３に示される状態では、リジェネレータ１２２には、光スイッチ１００のポート１４２から入力された光信号が入力される。すなわち、ステップ５０７においてリジェネレータ１２１により信号に付加された識別子とリジェネレータ１２２で受信した信号の識別子が一致しないことが確認され、光スイッチ１００のポート１０１、１０２による双方向ポートペアは、ｍ＝１の双方向光信号中継器（双方向光信号中継器１２０）と接続されていないことがわかる。
【００６１】
そこで、ステップ５０７にて送信識別子と受信識別子が一致しないことが確認された場合には、他の双方向光信号中継器との接続性を調べることとし、ｍの値をインクリメントし（ステップ５０８）、ｍ＝Ｍ＋１でないことを確認した後に（ステップ５１０）ステップ５０５に戻る。これにより、ｍ＝２の双方向光信号中継器について、光スイッチ１００のポート１０１、１０２による双方向ポートペアと接続されているかの調査を開始する。
【００６２】
上記のステップ５１０にてｍ＝Ｍ＋１であることが確認された場合にはエラー処理を行なって（ステップ５１１）終了する。
【００６３】
上記のルーチンを繰り返す内に、ある双方向光信号中継器ｍにて識別子を付加し、その受信信号を調べると、識別子が一致する場合がある（ステップ５０７にてＹｅｓの場合）。これは、図３に示すように、双方向光信号中継器で光スイッチへ送出する信号に対し、リジェネレータ１１０で識別子を付加しており、それが光スイッチ１００でそのままループバックされたときである。このとき、光スイッチ１００から受信した光信号の識別子が、付加した信号と一致するので、光スイッチ１００側でループバック状態に設定しているポート１０１、１０２による双方向ポートペアと双方向光信号中継器１１０が接続されていることがわかる。それは、ある光スイッチがループバック状態において、双方向光信号中継器の双方向ポートペアと光スイッチの双方向ポートペアが接続されている時にのみ、双方向光信号中継器で送出した信号そのものが、同一の双方向光信号中継器の入力ポートに戻って来るからである。
【００６４】
また、全てのｉの双方向光信号中継器を調べても解が無い場合は（ステップ５１０でＹｅｓの場合）、エラーとなるので（ステップ５１１）、他の障害の可能性を調査する。
【００６５】
次に、本発明の第３の実施の形態についてその構成を示す図６を参照して説明する。
【００６６】
図６は、図１と同じ構成のものであり、光スイッチ１００の接続状態のみが異なっている。リジェネレータ１０１と１１２は、ＳＯＮＥＴの３Ｒ再生中継器であるが、その伝送フォーマットの内、Ｂ１バイトには、パリティ演算の結果が入っており、奇数のビット誤りが起これば、検出できる。それを一定期間に渡って検出することにより、ビット誤り率を算出することが可能である（従来の技術の項で引用したＢｅｌｌｃｏｒｅの文献参照）。したがって、ＳＯＮＥＴのリジェネレータは、受信後に伝送品質を評価する情報を付加する手段、および、受信後にその情報を利用して伝送品質を算出する手段を持っていることになる。
【００６７】
いま、ポート１０５とポート１０１の間の光リンク、および、ポート１０２とポート１０６の間の光リンクの状態を管理したい、とする。その場合、図６に示すように、光スイッチ１００のポート１０１、１０２による双方向ポートペアにおいて、ループバック状態として、双方向光信号中継器１１０のポート１０６に入力される光信号のビット誤り率をリジェネレータ１１２で算出し、正常であると定義した所定のビット誤り率以下（例えば、１０のマイナス９乗以下）であることを確認することにより、光リンクの正常性を確認することができる。
【００６８】
全体の制御命令はコントローラ１６０が司り、ループバック切り替えの制御はコントローラ１０９が司り、誤り率の算出は、コントローラ１１５が行う。以上のように、双方向光信号中継器と光スイッチ間のリンクの正常性を確認することができる。
【００６９】
次に、図７および図９を用いて、本発明の第４の実施の形態について説明する。
【００７０】
図７は本発明の第４の実施形態の動作を示すフローチャートである。本実施の形態は、第１の実施の形態の動作を示す図４のフローチャートに対し、図７に示すステップ３１２とステップ３１３を追加したものである。
【００７１】
ステップ３０７で双方向信号中継器で付加した識別子が、受信した識別子と異なることが確認された場合（ステップ３０７でＹｅｓの場合）、他の双方向信号中継器で受信した識別子を調べ、接続関係を調べる対象の双方向信号中継器ｍで付加した識別子と同一の識別子を持つ信号を受信されているかを調べる（ステップ３１２）。
【００７２】
ステップ３１２で双方向信号中継器ｍで付加した識別子と同一の識別子を持つ信号が他の双方向信号中継器で受信されていることが確認された場合には接続状態が間違っていることがわかる。例えば、図９に示すように光スイッチ１００の双方向ポートペアと光信号中継器の双方向ポートペアが接続されておらず、ポート１０２はポート１０８に接続されている。この場合に、リジェネレータ１１１にて識別子を付加すると、その識別子を持つ信号は、リジェネレータ１２２にて受信される。従って、図９に示されるように、双方向信号中継器が構成されずに、他のリジェネレータにて受信した信号の識別子を確認することにより、どのようにポート間接続の誤接続がなされたかを認識することができる。
【００７３】
次に、図８および図９を用いて、本発明の第５の実施の形態について説明する。
【００７４】
図８は本発明の第５の実施形態の動作を示すフローチャートである。本実施の形態は、第２の実施の形態の動作を示す図５のフローチャートに対し、図８に示すステップ５１２とステップ５１３を追加したものである。
【００７５】
ステップ５０７において、双方向信号中継器により付加した識別子と受信した識別子が異なることが確認された場合（ステップ５０７でＹｅｓの場合）、他の双方向信号中継器で受信した識別子を調べ、接続関係を調べる対象の双方向信号中継器ｍで付加した識別子と同一の識別子を持つ信号を受信されているかを調べる（ステップ５１２）。
【００７６】
ステップ５１２で双方向信号中継器ｍで付加した識別子と同一の識別子を持つ信号が他の双方向信号中継器で受信されていることが確認された場合には接続状態が間違っていることがわかる。例えば、図９に示すように光スイッチ１００の双方向ポートペアと光信号中継器の双方向ポートペアが接続されておらず、ポート１０２はポート１０８に接続されている。この場合に、リジェネレータ１１１にて識別子を付加すると、その識別子を持つ信号は、リジェネレータ１２２にて受信される。従って、図９に示されるように、双方向信号中継器が構成されずに、他のリジェネレータにて受信した信号の識別子を確認することにより、どのようにポート間接続の誤接続がなされたかを認識することができる。
【００７７】
以上説明したように、本発明構成・方式を用いることにより、どの光スイッチの双方向ポートペアと、どの双方向光信号中継器の双方向ポートペアが接続されているかを、ケーブルの接続状態を目視による確認に頼ることなく、識別子を比較することにより、確認することができる。従って、ネットワーク管理システムへトポロジを登録する際に、人為ミスによる誤登録を防ぐことができる。又、光クロスコネクト・システムを用いて障害回復を行う場合に、予め、双方向光信号中継器と光スイッチ間のリンクの正常性を確認した上で、予備経路に切り替えることが出来る。従って、双方向光信号中継器と光スイッチ間のリンクに異常が発生しているにもかかわらず、切り替えてしまうという、障害回復にとって無駄な切替を行うことを未然に防ぐことができ、効率的なネットワーク運用を行うことが可能となる。
【００７８】
なお、リジェネレータ１１１、１１２、１２１、１２２として、信号が入力されない状態でも識別子を付加した信号を出力するリジェネレータを用いれば、全く光信号がポート１３１とリジェネレータ１１１間の伝送路に伝送されていない状態でも、どの双方向光信号中継器と、どの光スイッチ１００の双方向ポートペアが接続されているかを、発見することができ、双方向光信号中継器と光スイッチ間のリンクの正常性を確認できる。
【００７９】
また、実施の形態の説明において、双方向光信号中継器１１０、双方向光信号中継器１２０から伝送路側（光スイッチ側）に出力される光信号が多重されていないシステムについて説明したが、双方向光信号中継器１１０と双方向光信号中継器１２０から伝送路側に出力される光信号の波長を違えて、多重して伝送しても本発明は適用できることは自明である。多重の方法としては、波長多重を用いることが可能である。
【００８０】
なお、スイッチのループバックの設定に間違いは無いと仮定して、図７の３１３、図８の５１３では、接続間違いだと断定したが、スイッチ制御が完全に正しいと言えない場合は、ループバックの設定自体に誤りがある可能性を持つことは自明である。
【００８１】
【発明の効果】
以上説明した本発明構成・方式を用いることにより、どのスイッチの双方向ポートペアと、どの双方向光信号中継器の双方向ポートペアが接続されているかを、ケーブルの接続状態を目視により確認に頼ることなく、識別子を比較することにより、確認することができ、ネットワーク管理システムへトポロジを登録する際に、人為ミスによる誤登録を防ぐことができる。又、スイッチを用いて障害回復を行う場合に、予め、双方向光信号中継器とスイッチ間のリンクの正常性を確認した上で、予備経路に切り替えることが出来る。従って、双方向光信号中継器とスイッチ間のリンクに異常が発生しているにもかかわらず、切り替えてしまうという、障害回復にとって無駄な切替を行うことを未然に防ぐことができ、効率的なネットワーク運用を行うことが可能となる。
【図面の簡単な説明】
【図１】本発明装置の第１の実施の形態を示すブロック構成図である。
【図２】本発明方式の第１の実施の形態を示すブロック構成図で切り替え状態が記載してある。
【図３】本発明方式の第１の実施の形態を示すブロック構成図で切り替え状態が記載してある。
【図４】本発明方式の第１の実施の形態のフローチャートを示す図である。
【図５】本発明方式の第２の実施の形態のフローチャートを示す図である。
【図６】本発明方式の第３の実施の形態を示すブロック構成図である。
【図７】本発明方式の第４の実施の形態のフローチャートを示す図である。
【図８】本発明方式の第５の実施の形態のフローチャートを示す図である。
【図９】本発明方式の第４，第５の実施の形態を説明するためのブロック構成図である。
【図１０】従来例を説明するための図である。
【符号の説明】
１００  光スイッチ
１０１、１０３、１０２、１０４、１０５、１０７、１０６、１０８、１３１、１３３、１３２、１３４    ポート
１１０、１２０、１７０  双方向光中継器
１０９、１１５、１２５、１６０  コントローラ
１１１、１１２、１２１、１２２  リジェネレータ
【図１】
2005012421.tif 000003
【図２】
2005012421.tif 000004
【図３】
2005012421.tif 000005
【図４】
2005012421.tif 000006
【図５】
2005012421.tif 000007
【図６】
2005012421.tif 000008
【図７】
2005012421.tif 000009
【図８】
2005012421.tif 000010
【図９】
2005012421.tif 000011
【図１０】
2005012421.tif 000012
【手続補正書】
【提出日】平成16年6月23日(2004.6.23)
【手続補正２】
【補正対象書類名】明細書
【補正対象項目名】特許請求の範囲
【補正方法】変更
【補正の内容】
【特許請求の範囲】
【請求項１】
入力ポートと出力ポートとが組み合わされた双方向ポートペアを複数具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、前記切替装置および前記信号中継器の制御を行うコントローラとからなり、
前記信号中継器は、その出力ポートより識別子を付加した信号を前記切替手段へ送信する送信手段と、前記切替手段からの信号をその受信ポートにて受信して該信号中に含まれる識別子を検出する受信手段とを具備し、
前記コントローラは前記切替装置に具備された双方向ポートペアのいずれかをループバック状態としたうえで、前記送信手段から送信された信号に付加された識別子と前記受信手段にて受信された信号に含まれる識別番号が一致するかにより前記信号中継器の出力ポートおよび入力ポートと前記双方向ポートペアを構成する出力ポートおよび入力ポートの接続関係を検出することを特徴とする通信システム。
【請求項２】
請求項１記載の通信システムにおいて、
切替装置が光スイッチであり、信号は光信号であることを特徴とする請求項１に記載の通信システム。
【請求項３】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとし、識別子の一致が確認できない場合には前記第２のステップにおけるループバック状態とする双方向ポートペアを異なるものとして同様の動作を繰り返す第３のステップとを有することを特徴とする信号中継器と切替装置間の接続関係検出方法。
【請求項４】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとし、識別子の一致が確認できない場合には前記第１のステップにおいて識別子を信号に付加して前記切替装置に送信する信号中継器を異なるものとして同様の動作を繰り返す第３のステップとを有することを特徴とする信号中継器と切替装置間の接続関係検出方法。
【請求項５】
入力ポートと出力ポートとが組み合わされた双方向ポートペアを複数具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、前記切替装置および前記信号中継器の制御を行うコントローラとからなり、
前記信号中継器は、その出力ポートより信号品質を測定するための情報を付加した信号を前記切替手段へ送信する送信手段と、前記切替手段からループバックされた信号品質を測定するための情報が付加された信号により該受信信号の品質を測定する受信品質測定手段とを具備し、
前記コントローラは前記切替装置に具備された双方向ポートペアのいずれかをループバック状態としたうえで、前記送信手段および受信品質測定手段により受信した信号の品質の測定を行なわせることを特徴とする通信システム。
【請求項６】
請求項５に記載の通信システムにおいて、
コントローラは受信した信号の品質により信号中継器の出力ポートおよび入力ポートと双方向ポートペアを構成する出力ポートおよび入力ポートの接続関係の正常性の確認を行うことを特徴とする通信システム。
【請求項７】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合には前記第２のステップにおけるループバック状態とする双方向ポートペアを異なるものとして同様の動作を繰り返す第４のステップとを有することを特徴とする信号中継器と切替装置間の接続関係検出方法。
【請求項８】
入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合には前記第１のステップにおいて識別子を信号に付加して前記切替装置に送信する信号中継器を異なるものとして同様の動作を繰り返す第４のステップとを有することを特徴とする信号中継器と切替装置間の接続関係検出方法。
【請求項９】
入力ポートと出力ポートとが組み合わされた双方向ポートペアを複数備え、
外部からの切替え要求に応じて、入力ポートに入力された信号が該入力ポートとともに前記双方向ポートペアを構成する出力ポートへ出力されるループバック状態とするコントローラと、を有する切替装置。
【請求項１０】
入力ポートと出力ポートとが組み合わされた双方向ポートペアを複数備え、外部からの切替え要求に応じて、入力ポートに入力された信号が該入力ポートとともに前記双方向ポートペアを構成する出力ポートへ出力されるループバック状態とするコントローラと、を有する切替装置と組み合わされて使用され、前記切替装置の双方向ポートペアを構成する入力ポートまたは出力ポートと接続される入力ポートおよび出力ポートと、
出力ポートより識別子を付加した信号を前記切替装置へ送信する送信手段と、
前記切替手段からの信号をその受信ポートにて受信して該信号中に含まれる識別子を検出する受信手段と、
前記切替装置のコントローラに、双方向ポートペアのいずれかをループバック状態とする切替え要求を行なったうえで、前記送信手段から送信された信号に付加された識別子と前記受信手段にて受信された信号に含まれる識別番号が一致するかにより自己の出力ポートおよび入力ポートと前記双方向ポートペアを構成する出力ポートおよび入力ポートの接続関係を検出するコントローラとを有することを特徴とする信号中継器。
【請求項１１】
入力ポートと出力ポートとが組み合わされた双方向ポートペアを複数備え、外部からの切替え要求に応じて、入力ポートに入力された信号が該入力ポートとともに前記双方向ポートペアを構成する出力ポートへ出力されるループバック状態とするコントローラと、を有する切替装置と組み合わされて使用され、前記切替装置の双方向ポートペアを構成する入力ポートまたは出力ポートと接続される入力ポートおよび出力ポートと、
出力ポートより信号品質を測定するための情報を付加した信号を前記切替手段へ送信する送信手段と、
前記切替手段からループバックされた信号品質を測定するための情報が付加された信号により該受信信号の品質を測定する受信品質測定手段と、
前記切替装置のコントローラに、自己の出力ポートおよび入力ポートが接続される双方向ポートペアをループバック状態とする切替え要求を行なったうえで、前記送信手段および受信品質測定手段により受信した信号の品質の測定を行なわせるコントローラとを有することを特徴とする信号中継器。
【手続補正３】
【補正対象書類名】明細書
【補正対象項目名】０００１
【補正方法】変更
【補正の内容】
【０００１】
【発明の属する技術分野】
本発明は、信号中継器および切替装置とこれらの間の接続関係検出方法および通信システムに関するものである。


【手続補正４】
【補正対象書類名】明細書
【補正対象項目名】００１５
【補正方法】変更
【補正の内容】
【００１５】
本発明は、上述したような従来の技術が有する問題点に鑑みてなされたものであって、双方向信号中継器と光スイッチのポートの接続状態を発見し、トポロジの誤登録を防ぐことができ、また、主信号が流れていない状況においても、光スイッチと双方向信号中継器間のリンクの正常性を確認し、障害時の無駄な切り替えを防ぐことのできる信号中継器および切替装置とこれらの間の接続関係検出方法および通信システムを実現することを目的とする。


【手続補正５】
【補正対象書類名】明細書
【補正対象項目名】００２３
【補正方法】変更
【補正の内容】
【００２３】
本発明の他の形態による信号中継器と切替装置間の接続関係検出方法は、入力ポートと出力ポートとが組み合わされた双方向ポートペアを複数組具備し、入力ポートに入力された信号が該入力ポートとともに前記双方向ポートペアを構成する出力ポートへ出力されるループバック状態とすることが可能な切替装置と、前記双方向ポートペアを構成する入力ポートまたは出力ポートと接続される入力ポートおよび出力ポートを具備する複数の信号中継器と、を有する通信システムで行なわれる信号中継器と切替装置間の接続関係検出方法であって、
前記信号中継器において識別子を信号に付加し、前記切替装置に信号を送信する第１のステップと、
前記切替装置に具備された双方向ポートペアのいずれかをループバック状態とする第２のステップと、
前記信号中継器において受信した識別子を検出し、前記受信した識別子が前記第１のステップで送信した信号の識別子と一致するか確認し、識別子の一致が確認された場合には、前記一致が確認された信号中継器の入力ポートおよび出力ポートとループバック状態に設定した双方向ポートペアの出力ポートおよび入力ポートが接続されているものとする第３のステップと、
前記第３のステップにおいて前記識別子の一致が確認されない場合に行なわれ、前記第１のステップにて識別子の送信を行なった信号中継機以外の信号中継機で識別子が受信されているかを確認し、識別子の送信を行なった信号中継機以外の信号中継機で識別子が受信されていることが確認された場合には信号中継器と切替装置間の接続に間違いがあることを認識し、識別子の送信を行なった信号中継機以外の信号中継機で識別子が受信されていないことが確認された場合にはは前記第１のステップにおいて識別子を信号に付加して前記切替装置に送信する信号中継器を異なるものとして同様の動作を繰り返す第４のステップとを有することを特徴とする。
本発明の切替装置は、入力ポートと出力ポートとが組み合わされた双方向ポートペアを複数備え、
外部からの切替え要求に応じて、入力ポートに入力された信号が該入力ポートとともに前記双方向ポートペアを構成する出力ポートへ出力されるループバック状態とするコントローラと、を有する。
本発明の信号中継器は、入力ポートと出力ポートとが組み合わされた双方向ポートペアを複数備え、外部からの切替え要求に応じて、入力ポートに入力された信号が該入力ポートとともに前記双方向ポートペアを構成する出力ポートへ出力されるループバック状態とするコントローラと、を有する切替装置と組み合わされて使用され、前記切替装置の双方向ポートペアを構成する入力ポートまたは出力ポートと接続される入力ポートおよび出力ポートと、
出力ポートより識別子を付加した信号を前記切替装置へ送信する送信手段と、
前記切替手段からの信号をその受信ポートにて受信して該信号中に含まれる識別子を検出する受信手段と、
前記切替装置のコントローラに、双方向ポートペアのいずれかをループバック状態とする切替え要求を行なったうえで、前記送信手段から送信された信号に付加された識別子と前記受信手段にて受信された信号に含まれる識別番号が一致するかにより自己の出力ポートおよび入力ポートと前記双方向ポートペアを構成する出力ポートおよび入力ポートの接続関係を検出するコントローラとを有することを特徴とする。
本発明の他の形態による信号中継器は、入力ポートと出力ポートとが組み合わされた双方向ポートペアを複数備え、外部からの切替え要求に応じて、入力ポートに入力された信号が該入力ポートとともに前記双方向ポートペアを構成する出力ポートへ出力されるループバック状態とするコントローラと、を有する切替装置と組み合わされて使用され、前記切替装置の双方向ポートペアを構成する入力ポートまたは出力ポートと接続される入力ポートおよび出力ポートと、
出力ポートより信号品質を測定するための情報を付加した信号を前記切替手段へ送信する送信手段と、
前記切替手段からループバックされた信号品質を測定するための情報が付加された信号により該受信信号の品質を測定する受信品質測定手段と、
前記切替装置のコントローラに、自己の出力ポートおよび入力ポートが接続される双方向ポートペアをループバック状態とする切替え要求を行なったうえで、前記送信手段および受信品質測定手段により受信した信号の品質の測定を行なわせるコントローラとを有することを特徴とする。